(57)【要約】      （修正有）【課題】通信の信頼性を高く維持できる通信制御装置を提供する。【解決手段】二重化された一対のＨＷＹカード１５１、１５２を備え、その一方を有効として動作させる。Ｎ系となったＨＷＹカード１５１または１５２は、自カード内の加速度センサ１７２によって地震等による振動の発生を監視する。そして所定の強度以上の振動が検出されたら、外部伝送路１３０と制御ユニット１５１、１５２とを結ぶＩＦ部１６０の内部伝送路１９５の接続状態を制御するための制御信号Ｓ２、Ｓ３を一定周期で出力する。ＩＦ部１６０の光ＳＷドライバ１８９、１９０は、制御信号Ｓ２、Ｓ３を受け取る度に、正常な切替状態状態になるように光スイッチ１７９、１８０を駆動する。【選択図】  図２
2005198005.tif 000002
【特許請求の範囲】
【請求項１】
外部伝送路を介した通信を制御するための通信制御装置であって、
二重化された第１の制御ユニットおよび第２の制御ユニットを備え、
前記第１および第２の制御ユニットは、自ユニットが有効となるかどうかを判断する有効判定手段と、前記外部伝送路への接続状態の切り替えを制御するための系切替制御信号を出力する系切替制御信号出力手段とを含む二重化制御部を有し、
前記二重化制御部は、自ユニットが有効になっている場合、前記系切替制御信号を所定の周期で出力するものである通信制御装置。
【請求項２】
請求項１記載の通信制御装置であって、
前記第１および第２の制御ユニットは、前記制御ユニットに加わる加速度を検出する加速度検出部をさらに有し、
前記二重化制御部は、前記加速度検出手段により所定の強度以上の加速度が検出された場合に前記系切替制御信号を一定周期で出力するものである通信制御装置。
【請求項３】
請求項１または２記載の通信制御装置であって、
各々の前記第１および第２の制御ユニットと前記外部伝送路とを相互に接続するインタフェース部をさらに備え、
前記外部伝送路は、第１の外部伝送路と第２の外部伝送路を有し、
前記インタフェース部は、前記第１および第２の制御ユニットの一方が有効となって、有効となっている制御ユニットのみが前記第１の外部伝送路との送受信機能を担うＮ／Ｅ構成、または、前記第１および第２の制御ユニットが各々第１および第２の外部伝送路との送受信機能を担う０／１構成の伝送路として、選択的に使用可能な伝送路であって、
前記第１および第２の制御ユニットと前記第１および前記第２の外部伝送路のうち少なくとも一方とを相互に接続するための複数の内部伝送路と、
前記内部伝送路同士の接続状態を切り替えるための切替機構と、
前記系切替信号に応じて前記切替機構を制御する切替機構制御回路と、
を有し、
前記系切替信号は、内部伝送路を前記Ｎ／Ｅ構成または前記０／１構成を切り替えるための系構成切替制御信号と、前記Ｎ／Ｅ構成が選択された場合には前記外部伝送路を前記有効となる制御ユニットに接続するためのＮ／Ｅ系切替制御信号とを含む通信制御装置。
【請求項４】
請求項３記載の通信制御装置であって、
前記切替機構は、
Ｎ／Ｅ構成が選択された場合に、前記第１の外部伝送路と前記有効となる制御ユニットに接続するための第１の切替機構と、
Ｎ／Ｅ構成または０／１構成を切り替えるための第２の切替機構と
を有し、
前記複数の内部伝送路は、
前記第１の外部伝送路からの信号を分岐させて、一方を前記第１の制御ユニットに接続するとともに他方を前記第２の切替機構に接続する分岐伝送路と、
前記第１の制御ユニットからの信号が入力されて前記第１の切替機構とを接続するための第１内部伝送路と、
前記第２の制御ユニットと前記第２の切替機構とを接続するための第２内部伝送路と、
前記第１の切替機構からの信号が入力されて前記第１の外部伝送路とを接続するための第３の内部伝送路と、
前記第２の切替機構からの信号が入力されて前記第２の外部伝送路とを接続するための第４の内部伝送路とを有する通信制御装置。
【請求項５】
請求項４記載の通信制御装置であって、前記第１および第２の制御ユニットは、前記第１の外部伝送路からの信号を前記分岐伝送路を介して同報受信し、有効になっている制御ユニットは受信データを処理し、有効になっていない制御ユニットは受信データを破棄する通信制御装置。
【請求項６】
請求項４または５記載の通信制御装置であって、前記内部伝送路が光伝送路である場合、前記分岐伝送路は光カプラである通信制御装置。
【請求項７】
請求項１ないし６のいずれか一項記載の通信制御装置を備えた無線基地局装置。
【発明の詳細な説明】
【技術分野】
【０００１】
本発明は、移動無線通信システムの基地局と無線ネットワーク制御装置（無線ネットワーク制御装置：Radio Network Controller）間等における通信の信頼性を確保するための通信制御系の二重化技術に関する。
【背景技術】
【０００２】
移動無線通信システムの無線基地局（以下、基地局）と無線ネットワーク制御装置との間はハイウェイ（以下、ＨＷＹと記す。）と呼ばれる有線伝送路（外部伝送路）により接続されている。基地局は、ＨＷＹと接続するためのカード型のインタフェース・ユニット（以下、ＨＷＹ−ＩＦカードと記す。）を二つ備え、その一方をＮ系（ノーマル系、運用（アクト）系）、他方をＥ系（エマージェンシ系、待機（スタンバイ）系）として用い、Ｎ系のＨＷＹ−ＩＦカードに障害が生じた場合に、Ｅ系のＨＷＹ−ＩＦカードに切り替えて運用することで、無線ネットワーク制御装置との通信の信頼性を確保している。（特許文献１、特許文献２参照）
【０００３】
しかし、Ｎ系とＥ系とを切り替えるための切替機構としてリレーやメカニカルスイッチ等の振動の影響を受けやすいデバイスが用いられている場合、地震発生時などに接続されるべき系への接続が正しく行われなくなるおそれがある。すなわち、制御対象であるリレーやメカニカルスイッチの可動部が振動の影響で正しく作動しなかったり作動後に正規の位置から移動してしまったりする可能性がある。
【０００４】
従来この種の通信システムでは、Ｎ系／Ｅ系の切り替えを行うためのＮ／Ｅ系切替制御信号は、Ｎ系／Ｅ系の切り替えが必要なときのみに出力されものである。したがって、例えばＮ系からＥ系へ切り替えた後にスイッチが振動等の影響で誤った接続状態になった場合、Ｎ系／Ｅ系の切り替えが必要とならないと、スイッチを制御する信号は出力されていないため、Ｅ系に接続されているはずの伝送路が遮断状態となるため、通信の信頼性が低下する要因となっていた。
【特許文献１】特許第３０７１７１８号明細書
【特許文献２】特開平４−１５６１５６号公報
【発明の開示】
【発明が解決しようとする課題】
【０００５】
本発明は、上記従来の事情に鑑みてなされたものであって、通信の信頼性を高く維持できる通信制御装置を提供することを目的とする。
【課題を解決するための手段】
【０００６】
本発明の通信制御装置は、外部伝送路を介した通信を制御するための通信制御装置であって、
二重化された第１の制御ユニットおよび第２の制御ユニットを備え、
前記第１および第２の制御ユニットは、自ユニットが有効となるかどうかを判断する有効判定手段と、前記外部伝送路への接続状態の切り替えを制御するための系切替制御信号を出力する系切替制御信号出力手段とを含む二重化制御部を有し、
前記二重化制御部は、自ユニットが有効になっている場合、前記系切替制御信号を所定の周期で出力するものである。
【０００７】
この構成により、外部伝送路と第１および第２の制御ユニットとを接続するための切り替えるための切替機構が何らかの原因で直ぐに正常に作動せず、または正常に作動した後に不正常な状態になってしまった場合でも、系切替制御信号を一定周期で出力するため、切替機構が不正常な状態のまま放置されることがなくなる。したがって、切替機構が常に正常な切替状態に保たれるので、地震等による振動の影響を排して、通信の信頼性を高く維持することができる。
【０００８】
また、前記第１および第２の制御ユニットは、前記制御ユニットに加わる加速度を検出する加速度検出部をさらに有し、
前記二重化制御部は、前記加速度検出手段により所定の強度以上の加速度が検出された場合に前記系切替制御信号を一定周期で出力するものである。
【０００９】
この構成により、通常は系の切り替えの必要が生じたとき以外は切替制御信号を出力せず、所定強度以上の加速度が検知された場合に系切替制御信号を一定周期で出力することにより、系を切り替えるための切替機構にかかる負担を抑えつつ、地震等による振動が発生した場合においても通信の信頼性を高く維持することができる。
【００１０】
また、本発明の通信制御装置は、各々の前記第１および第２の制御ユニットと前記外部伝送路とを相互に接続するインタフェース部をさらに備え、
前記外部伝送路は、第１の外部伝送路と第２の外部伝送路を有し、
前記インタフェース部は、前記第１および第２の制御ユニットの一方が有効となって、有効となっている制御ユニットのみが前記第１の外部伝送路との送受信機能を担うＮ／Ｅ構成、または、前記第１および第２の制御ユニットが各々第１および第２の外部伝送路との送受信機能を担う０／１構成の伝送路として、選択的に使用可能な伝送路であって、
前記第１および第２の制御ユニットと前記第１および前記第２の外部伝送路のうち少なくとも一方とを相互に接続するための複数の内部伝送路と、
前記内部伝送路同士の接続状態を切り替えるための切替機構と、
前記系切替信号に応じて前記切替機構を制御する切替機構制御回路と、
を有し、
前記系切替信号は、内部伝送路を前記Ｎ／Ｅ構成または前記０／１構成を切り替えるための系構成切替制御信号と、前記Ｎ／Ｅ構成が選択された場合には前記外部伝送路を前記有効となる制御ユニットに接続するためのＮ／Ｅ系切替制御信号とを含む。
【００１１】
この構成により、制御ユニットと外部伝送路とを相互に接続するインタフェース部の内部伝送路を、Ｎ／Ｅ構成または０／１構成の伝送路として選択的に使用できる。Ｎ／Ｅ構成とした場合には一対の制御ユニットを二重化して通信の信頼性を高めることができ、０／１構成とした場合には一対の制御ユニットを各々別系統の信号伝送処理に使用して伝送容量を多くするとともに、制御ユニットへの負荷を分散することができる。
【００１２】
また、前記切替機構は、
Ｎ／Ｅ構成が選択された場合に、前記第１の外部伝送路と前記有効となる制御ユニットに接続するための第１の切替機構と、
Ｎ／Ｅ構成または０／１構成を切り替えるための第２の切替機構と
を有し、
前記複数の内部伝送路は、
前記第１の外部伝送路からの信号を分岐させて、一方を前記第１の制御ユニットに接続するとともに他方を前記第２の切替機構に接続する分岐伝送路と、
前記第１の制御ユニットからの信号が入力されて前記第１の切替機構とを接続するための第１内部伝送路と、
前記第２の制御ユニットと前記第２の切替機構とを接続するための第２内部伝送路と、
前記第１の切替機構からの信号が入力されて前記第１の外部伝送路とを接続するための第３の内部伝送路と、
前記第２の切替機構からの信号が入力されて前記第２の外部伝送路とを接続するための第４の内部伝送路とを有する。
【００１３】
この構成により、Ｎ／Ｅ構成または０／１構成の伝送路として選択的に使用できる内部伝送路を備えたインタフェース部をシンプルな構成で実現できる。
【００１４】
また、前記第１および第２の制御ユニットは、前記第１の外部伝送路からの信号を前記分岐伝送路を介して同報受信し、有効になっている制御ユニットは受信データを処理し、有効になっていない制御ユニットは受信データを破棄する。
【００１５】
この構成により、Ｎ／Ｅ構成において、外部伝送路からの信号を有効ではない制御ユニットにも常時受信させておくことにより、有効となる制御ユニット切り替え時におけるデータの途切れを防止しつつ、スムーズに系を切り替えることができる。
【００１６】
また、前記内部伝送路が光伝送路である場合、前記分岐伝送路は光カプラである。
【００１７】
この構成により、分岐伝送路に光カプラを用いることにより分岐性能に対する振動の影響を排除できる。
【００１８】
また、本発明は、前記通信制御装置を備えた無線基地局装置を提供するものである。
【００１９】
この無線基地局装置により、常に通信の信頼性が求められ無線基地局装置において、地震等が発生した場合においても、通信の信頼性を高く維持することができる。
【発明の効果】
【００２０】
本発明によれば、通信の信頼性を高く維持できる通信制御装置を提供することができる。
【発明を実施するための最良の形態】
【００２１】
（第１の実施形態）
図１は本発明の第１の実施形態に係る通信制御装置が適用される移動無線通信システムを示す概略構成図である。本実施形態では、通信制御装置として、移動無線通信システムの基地局に設けられた有線伝送路インタフェース部を例にとって説明する。
【００２２】
図１に示すように、第１の実施形態の移動無線通信システム１００は、移動端末１１０と、複数の基地局１２０と、無線ネットワーク制御装置１４０とを備える。基地局１２０は、移動端末１１０と無線により通信するものであり、また、光ケーブル（外部伝送路）１３０を介して共通の無線ネットワーク制御装置１４０に接続されている。無線ネットワーク制御装置１４０はデータ通信網３０１や回線交換網３０２に接続されている。
【００２３】
また、各々の基地局１２０は、アンテナ１２１と、無線ＩＦ部１２２と、ベースバンド処理部１２３と、有線伝送路ＩＦ（インタフェース）部１２４とを有している。
【００２４】
無線ＩＦ部１２２は、例えば符号分割多重されたデータをアンテナ１２１を使用して複数の移動端末１１０との間で送受信する。ベースバンド処理部１２３は、無線ＩＦ部１２２を介して移動端末１１０から受信した上りデータに対し同期補足処理及び同期追跡処理を行いながら逆拡散及び復号処理を行い、その移動端末１１０への下りデータに対し変調及び拡散処理を行い無線ＩＦ部１２２を介して送信する。
【００２５】
有線伝送路ＩＦ部１２４は、ベースバンド処理部１２３からの上りデータを光信号に変換して光ケーブル１３０に送出し、光ケーブル１３０からの下りデータを電気信号に変換してベースバンド処理部１２３に送出する。
【００２６】
図２は有線伝送路ＩＦ部の概略構成を示すブロック図である。図２に示すように、有線伝送路ＩＦ部１２４は、二重化されたカード型の一対の制御ユニット（以下、ＨＷＹカードと記す。）の一例である第１のＨＷＹカード１５１および第２のＨＷＹカード１５２と、ＨＷＹカード１５１、１５２と有線伝送路１３０とを相互に接続するＩＦ（インタフェース）部１６０とを備えている。
【００２７】
ＩＦ部１６０は、一対の第１のＨＷＹ−ＩＦカード１６１および第２のＨＷＹ−ＩＦカード１６２を有し、ＨＷＹカード１５１、１５２及びＨＷＹ−ＩＦカード１６１、１６２はマザーボード１６５に装着されており、マザーボード１６５に設けられた配線によって相互に通信可能に接続されている。
【００２８】
有線伝送路ＩＦ部１２４は、Ｎ／Ｅ構成または０／１構成として選択的に使用可能である。ここで、Ｎ／Ｅ構成とは、有線伝送路ＩＦ部１２４に二つのＨＷＹカード１５１、１５２の一方をＮ系、他方をＥ系として設定し、一方を有効に動作させるとともに他方を待機させて、動作している側に障害が生じた場合に、有効となる系を切り替えて他方に動作させる構成である。また、０／１構成とは、有線伝送路ＩＦ部１２４は、ＨＷＹカードの各々が外部伝送路に接続されて通信を行うものである。
【００２９】
ここで、本実施形態では、有線伝送路ＩＦ部１２４が、Ｎ／Ｅ構成時にはＨＷＹカード１５１がＮ系、ＨＷＹカード１５２がＥ系に設定され、また、０／１構成時にはＨＷＹカード１５１が０系、ＨＷＹカード１５２が１系に設定された場合を例にとって説明する。
【００３０】
有線伝送路ＩＦ部１２４をＮ／Ｅ構成として使用する場合は、図２に示すようにＨＷＹ−ＩＦカード１６１のみに光ケーブル１３０が接続される。また０／１構成として使用する場合は、ＨＷＹ−ＩＦカード１６１、１６２に各々光ケーブル１３０が接続される（図５参照）。
【００３１】
各ＨＷＹカード１５１、１５２は、二重化制御部１７１と、加速度センサ１７２と、Ｎ／Ｅ−０／１構成切替装置１７３と、伝送信号送受信部１７４とを備えている。
【００３２】
各ＨＷＹカード１５１、１５２の二重化制御部１７１は、常時互いに二重化制御信号Ｓ１を送受信し合って、他系のＨＷＹカードの状態を判定する。そして、それぞれのＨＷＹカードは、自分のカードが有効であるか否かを判定する。そして、有効になっているＨＷＹカードに異常や障害が生じた場合には、互いに有効になるＨＷＹカードを切り替える処理を行うとともに、光ケーブル１３０に対する両ＨＷＹカード１５１、１５２の接続状態の切り替えを制御するためのＮ／Ｅ系切替制御信号Ｓ２をＩＦ部１６０に出力する。
【００３３】
Ｎ／Ｅ−０／１構成切替装置１７３は、ＩＦ部１６０の内部伝送路１９５の接続状態をＮ／Ｅ系または０／１構成の接続状態に選択的に切り替えるためのスイッチであり、例えば基地局１２０を構築する初期の段階等の任意の時点でいずれかの状態に設定される。そして、このＮ／Ｅ−０／１構成切替装置１７３からの指示に基づき、二重化制御部１７１は、系構成切替制御信号Ｓ３をＩＦ部１６０に出力する。
【００３４】
さらに、Ｎ／Ｅ−０／１構成切替装置１７３は、Ｎ／Ｅ構成時に、基地局１２０の初期状態で有効となるＨＷＹカード１５１または１５２を設定するためのスイッチであり、このＮ／Ｅ−０／１構成切替装置１７３からの指示に基づき、二重化制御部１７１は、自ユニットが有効であるかを判定する。
【００３５】
各ＨＷＹカード１５１、１５２の加速度センサ１７２はそれぞれ、ＨＷＹカードに加わる加速度を検出することで地震等による振動等の強度を検出し、その検出結果を自カードの二重化制御部１７１に出力する。Ｎ系であるＨＷＹカード１５１の二重化制御部１７１は、加速度センサ１７２による検出結果を監視し、検出された振動の強度が所定の強度以上になったら、Ｎ／Ｅ系切替制御信号Ｓ２と系構成切替制御信号Ｓ３を一定周期（たとえば１秒周期）でＩＦ部１６０に出力する。
【００３６】
両ＨＷＹカード１５１、１５２の伝送信号送受信部１７４は、ベースバンド処理部１２３から同一の上りデータを受信するとともに、ＩＦ部１６０から同一の下りデータを受信する。Ｎ系のＨＷＹカード１５１は、ベースバンド処理部１２３から受信した上りデータをＩＦ部１６０に送信するとともに、ＩＦ部１６０からの下りデータをベースバンド処理部１２３に受け渡す。一方、Ｅ系のＨＷＹカード１５２は、ベースバンド処理部１２３から受信した上りデータをＩＦ部１６０に送信し、ＩＦ部１６０からの下りデータは破棄する。なお、ＨＷＹカード１５２は、ベースバンド処理部１２３から受信した上りデータをＩＦ部１６０に送信せずに、破棄してもよい。
【００３７】
ＩＦ部１６０が有するＨＷＹ−ＩＦカード１６１、１６２は、ＨＷＹカード１５１、１５２からの上りデータを光信号に変換する電気−光変換部１７５と、光ケーブル１３０からの下りデータを電気信号に変換する光−電気変換部１７６と、光ケーブルまたは光導波路を有して構成される内部伝送路１９５を各々備えている。なお、電気−光変換部１７５および光−電気変換部１７６を、ＨＷＹカード１５１、１５２に内蔵してもよい。
【００３８】
ＨＷＹ−ＩＦカード１６１は、光ケーブル１３０からの下りデータを二系統に分岐させる光カプラ１７７を備えている。光カプラ１７７で分岐された一方の下りデータは、同カード１６１内の光−電気変換部１７６で電気信号に変換されてＨＷＹカード１５１に送られる。
【００３９】
光カプラ１７７で分岐された他方の下りデータは、ＨＷＹ−ＩＦカード１６１とＨＷＹ−ＩＦカード１６２との間を結ぶ光ケーブル１７８を通して、ＨＷＹ−ＩＦカード１６２の光スイッチ１８０内の第１の切替部１８１に導かれる。この光スイッチ１８０は、Ｎ／Ｅ構成と０／１構成とを切り替えるためのスイッチである。そして、Ｎ／Ｅ構成の場合、両切替部１８１、１８２は共に、図２に示すようにＨＷＹカード１５２とＨＷＹ−ＩＦカード１６１との間で上りおよび下りの両方のデータの送受信が可能な状態に設定されている。
【００４０】
したがって、Ｎ／Ｅ構成の場合、他方の下りデータは、ＨＷＹ−ＩＦカード１６２内の光スイッチ１８０を経た後、同カード１６２内の光−電気変換部１７６で電気信号に変換されてＨＷＹカード１５２に送られる。またＨＷＹカード１５２からの上りデータは、電気−光変換部１７５で光信号に変換され、第２の切替部１８２および光ケーブル１７８を経て、ＨＷＹ−ＩＦカード１６１の光スイッチ１７９に導かれる。
【００４１】
ＨＹＷ−ＩＦカード１６１の光スイッチ１７９は、光ケーブル１３０に対するデータ送受信を行う系（Ｎ系とＥ系）の切り替えを行うためのスイッチである。Ｎ系（ＨＷＹカード１５１）に接続する場合、Ｅ系のＨＷＹカード１５２からの上りデータを遮断し、Ｎ系のＨＷＹカード１５１からの上りデータのみ通過させる状態に設定される。すなわち、ＨＷＹカード１５１が有効である場合、ＨＷＹカード１５１からの上りデータは、電気−光変換部１７５で光信号に変換され、この光スイッチ１７９を経て光ケーブル１７８へ送出される。
【００４２】
光スイッチ１７９および１８０は、各ＨＷＹ−ＩＦカード１６１、１６２に設けられた光ＳＷドライバ１８９、１９０によって駆動される。ＨＷＹ−ＩＦカード１６１の光ＳＷドライバ１８９は、ＨＷＹカード１５１またはＨＷＹカード１５２からのＮ／Ｅ系切替制御信号Ｓ２に従って光スイッチ１７９を切り替える。ＨＷＹ−ＩＦカード１６２の光ＳＷドライバ１９０は、ＨＷＹカード１５１またはＨＷＹカード１５２からの系構成切替制御信号Ｓ３に従って光スイッチ１８０を切り替える。
【００４３】
以上説明したように、有線伝送路ＩＦ部１２４は、Ｎ／Ｅ構成および０／１構成のいずれにも対応することが可能となる。したがって、両ＨＷＹカード１５１、１５２のＮ／Ｅ−０／１構成切替装置１７３の切替状態を選択することにより、基地局１２０を構築するとき等の任意の時点で、Ｎ／Ｅ構成および０／１構成のいずれかを選択することができる。
【００４４】
次に、本実施形態のＩＦ部１６０における切り替え動作および信号伝送経路を、Ｎ／Ｅ構成時および０／１構成時のそれぞれについて図３ないし図５を参照して説明する。
【００４５】
図３は、Ｎ／Ｅ構成時において、Ｎ系に接続される場合のＩＦ部の概略回路構成を示す図である。
【００４６】
図３に示すように、ＨＷＹ−ＩＦカード１６２の光スイッチ１８０は、ＨＷＹカード１５２とＨＷＹ−ＩＦカード１６１との間で上りと下りの両方のデータの送受信が可能な切替状態に設定される。すなわち、光ケーブル１３０とのデータの送受信が可能な状態に設定される。この設定により、Ｎ／Ｅ構成をとることが可能となる。
【００４７】
Ｎ系（ＨＷＹカード１５１）に接続される場合、すなわち、ＨＷＹカード１５１が有効となる場合は、ＨＷＹカード１５１の二重化制御部１７１（図２）は、Ｎ／Ｅ系切替制御信号Ｓ２をＨＷＹ−ＩＦカード１６１の光ＳＷドライバ１８９に送信する。ＨＷＹ−ＩＦカード１６１の光ＳＷドライバ１８９は、Ｎ／Ｅ系切替制御信号Ｓ２をＨＷＹカード１５１から受け取ったか、ＨＷＹカード１５１から受け取ったかによって、光スイッチ１７９の切り替えを制御する。
【００４８】
ＨＷＹカード１５１、すなわちＮ系が有効となった場合は、ＨＷＹカード１５１からＮ／Ｅ系切替制御信号Ｓ２が出力されるため、ＨＷＹ−ＩＦカード１６１の光スイッチ１７９は、図３に示す状態に切り替えられる。その結果、ベースバンド処理部１２３からの上りデータも、光ケーブル１３０からの下りデータも共に、ＨＷＹ−ＩＦカード１６１を介してＨＷＹカード１５１を使用して伝送される状態になる。
【００４９】
この場合、ＨＷＹ−ＩＦカード１６１内で分岐され、ＨＷＹ−ＩＦカード１６２を経てＥ系のＨＷＹカード１５２に送られた下りデータは、ＨＷＹカード１５２によって一応は受信されるが破棄される。また、ベースバンド処理部１２３からＨＷＹカード１５２およびＨＷＹ−ＩＦカード１６２を経てＨＷＹ−ＩＦカード１６１に送られた上りデータは、ＨＷＹ−ＩＦカード１６１の光スイッチ１７９で遮断される。なお、ベースバンド処理部１２３からＨＷＹカード１５２に送られた上りデータは、ＨＷＹカード１６２、１６１へ送信されずに、ＨＷＹカード１５２で破棄されてもよい。
【００５０】
図４は、Ｎ／Ｅ構成時において、Ｅ系に接続される場合のＩＦ部の概略回路構成を示す図である。
【００５１】
図４に示されたように、Ｅ系のＨＷＹカード１５２が有効となって接続される場合は、Ｅ系のＨＷＹカード１５２からＮ／Ｅ系切替制御信号Ｓ２が出力されるため、ＨＷＹ−ＩＦカード１６１の光スイッチ１７９は、図４に示す状態に切り替えられる。
【００５２】
その結果、ベースバンド処理部１２３からの上りデータが、Ｅ系のＨＷＹカード１５２、ＨＷＹ−ＩＦカード１６２、ＨＷＹ−ＩＦカード１６１を経て光ケーブル１３０に導かれる状態になる。また、光ケーブル１３０からの下りデータは、ＨＷＹ−ＩＦカード１６１内で分岐され、ＨＷＹ−ＩＦカード１６２およびＥ系のＨＷＹカード１５２を経てベースバンド処理部１２３に送られる。
【００５３】
この場合、光ケーブル１３０からＨＷＹ−ＩＦカード１６１を経て運用されないＮ系のＨＷＹカード１５１に送られた下りデータは、ＨＷＹカード１５１によって一応は受信されるが破棄される。また、ベースバンド処理部１２３からＨＷＹカード１５１を経てＮ系のＨＷＹ−ＩＦカード１６１に送られた上りデータは、ＨＷＹ−ＩＦカード１６１の光スイッチ１７９で遮断される。なお、ベースバンド処理部１２３からＨＷＹカード１５１に送られた上りデータは、ＨＷＹカード１６１へ送信されずに、ＨＷＹカード１５１で破棄されてもよい。
【００５４】
上記のように、選択されていないのＨＷＹカードはベースバンド処理部１２３と光ケーブル１３０間のデータ伝送機能を果たさないにも拘わらず、上りデータおよび下りデータをＥ系のＨＷＹカードにも常時受信させておくことにより、Ｎ系とＥ系の切り替え時におけるデータの途切れを防止しつつ、スムーズに系を切り替えることができる。
【００５５】
有効になっているＨＷＹカード１５１または１５２は、自カード内の加速度センサ１７２によって地震等による振動の発生を常時監視している。そして、所定の強度以上の振動が検出されたら、Ｎ／Ｅ系切替制御信号Ｓ２および系構成切替制御信号Ｓ３を一定周期（たとえば１秒周期）で出力する。それは、それぞれのスイッチが切替制御信号Ｓ２またはＳ３により制御される毎に、スイッチは、機械的に接続するための動作を行うため、あまり頻繁に行うことによって動作回数が増加すると、スイッチの寿命を縮めてしまう恐れがある。したがって、有効になっているＨＷＹカードは、例えば所定の強度以上の加速度が検出されている間のみ切替制御信号を出力することにより、スイッチの負担を減らすことができる。
【００５６】
Ｎ系のＨＷＹカード１５１が有効な場合、ＨＷＹ−ＩＦカード１６１の光ＳＷドライバ１８９はＮ／Ｅ系切替制御信号Ｓ２を受け取る度に、ＨＷＹ−ＩＦカード１６２の光ＳＷドライバ１９０は系構成切替制御信号Ｓ３を受け取る度に、光スイッチ１７９および１８０が正常な切替状態すなわち、図３に示す状態になるように、光スイッチ１７９および１８０をそれぞれ駆動する。
【００５７】
また、Ｅ系のＨＷＹカード１５２が有効な場合、ＨＷＹ−ＩＦカード１６１の光ＳＷドライバ１８９はＮ／Ｅ系切替制御信号Ｓ２を受け取る度に、ＨＷＹ−ＩＦカード１６２の光ＳＷドライバ１９０は系構成切替制御信号Ｓ３を受け取る度に、光スイッチ１７９および１８０が正常な切替状態すなわち、図４に示す状態になるように光スイッチ１７９および１８０をそれぞれ駆動する。
【００５８】
図５は、０／１構成として用いられる場合のＩＦ部の概略回路構成を示す図である。０／１構成の場合、まず、ＩＦ部１６０が有するＨＷＹ−ＩＦカードそれぞれに、外部伝送路が接続される。本実施形態の場合は、ＨＷＹ−ＩＦカード１６１に第１の光ケーブル１３０（０）が、ＨＷＹ−ＩＦカード１６２に第２の光ケーブル１３０（１）が接続され、０系のＨＷＹカード１５１および１系のＨＷＹカード１５２と第１の光ケーブル１３０（０）および第２の光ケーブル１３０（１）とがそれぞれ接続されて通信が行われる。
【００５９】
そして、０／１構成に設定されるときに、０系のＨＷＹカード１５１および１系のＨＷＹカード１５２の二重化制御部１７１それぞれからＮ／Ｅ系切替制御信号Ｓ２および系構成切替制御信号Ｓ３を送信して、ＨＷＹ−ＩＦカード１６１の光スイッチ１７９およびＨＷＹ−ＩＦカード１６２の光スイッチ１８０は、図５に示す接続状態に設定される。
【００６０】
この場合、０系のＨＷＹカード１５１からの上りデータは、ＨＷＹ−ＩＦカード１６１を経てこれに接続された第１の光ケーブル１３０（０）に送出され、第１の光ケーブル１３０（０）からの下りデータは、ＨＷＹ−ＩＦカード１６１を経て０系のＨＷＹカード１５１に送られる。
【００６１】
また、１系のＨＷＹカード１５２からの上りデータは、ＨＷＹ−ＩＦカード１６２を経てこれに接続された第２の光ケーブル１３０（１）に送出され、第２の光ケーブル１３０（１）からの下りデータは、ＨＷＹ−ＩＦカード１６２を経て１系のＨＷＹカード１５２に送られる。
【００６２】
また、ＨＷＹ−ＩＦカード１６１内で分岐され、ＨＷＹ−ＩＦカード１６２に送られた第１の光ケーブル１３０（０）からの下りデータは、ＨＷＹ−ＩＦカード１６２の光スイッチ１８０で遮断される。
【００６３】
このような本実施形態の通信制御装置によれば、Ｎ／Ｅ構成に設定されている場合、有効になっているＨＷＹカード１５１または１５２がＮ／Ｅ系切替制御信号Ｓ２および系構成切替制御信号Ｓ３を一定周期で出力することにより、ＨＷＹ−ＩＦカード１６１の光スイッチ１７９やＨＷＹ−ＩＦカード１６２の光スイッチ１８０が地震等による振動の影響で不正常な状態になってしまった場合でも、その不正常な状態のまま放置される可能性が低くなる。
【００６４】
また、地震等の振動により所定強度以上の加速度が発生した場合、その加速度が発生している間にのみＮ／Ｅ系切替制御信号Ｓ２および系構成切替制御信号Ｓ３が一定周期で出力されるので、両光スイッチ１７９、１８０にかかる負担を抑えることができる。
【００６５】
また、０／１構成に設定された場合には、ＨＷＹカード１５１およびＨＷＹ−ＩＦカード１６１を含む伝送系（０系）と、ＨＷＹカード１５２およびＨＷＹ−ＩＦカード１６２を含む伝送系（１系）とが互いに独立した系として形成されるので、各伝送系を各々別系統の信号伝送処理に使用して伝送容量を多くすることができるとともに、大容量のデータの送受信する場合に、それぞれのＨＷＹカードにかかる負荷を減少させることができる。
【００６６】
また、有効になっているＨＷＹカード１５１または１５２がＮ／Ｅ系切替制御信号Ｓ２および系構成切替制御信号Ｓ３を一定周期で出力することにより、両ＨＷＹ−ＩＦカード１６１、１６２の光スイッチ１７９、１８０が地震等による振動の影響で不正常な状態になってしまった場合でも、その不正常な状態のまま放置される可能性が低くなる。
【００６７】
また、地震等の振動により所定強度以上の加速度が発生した場合、その加速度が発生している間にのみＮ／Ｅ系切替制御信号Ｓ２および系構成切替制御信号Ｓ３が一定周期で出力されるので、光スイッチ１８０にかかる負担を抑えることができる。
【００６８】
さらに、ＩＦ部１６０は、切り替え制御を行うのみで、Ｎ／Ｅ構成、０／１構成に対応することができるため、１つのＩＦ部で利用性が広がるとともに、基地局等に設置後にも構成を切り替えることが可能となる。
【００６９】
また、有線伝送ＩＦ１２４の通信の信頼性が向上することにより、通信に障害が生じた場合は、有線伝送ＩＦ１２４以外の箇所で生じていることが推定できるため、障害の原因箇所の特定および障害からの復旧を迅速に行うことが可能となる。
【００７０】
なお、本実施形態のＩＦ部１６０はそれぞれ、ＨＷＹ−ＩＦカード１６１およびＨＷＹ−ＩＦカード１６２を備えたが、Ｎ／Ｅ構成のみに対応するのであれば、ＩＦ部１６０はＨＷＹ−ＩＦ１６１カードのみを備え、光ケーブル１７８に接続される内部伝送路をＥ系のＨＷＹカード１５２に接続すればよい。この場合も、有効になっているＨＷＹカード１５１または１５２が、所定強度以上の加速度を検出している間、一定周期でＮ／Ｅ系切替制御信号Ｓ２を与えることで通信の信頼性を高めることができる。
【００７１】
（第２の実施形態）
図６ないし図８は、第２の実施形態を説明するための有線伝送路ＩＦ部の概略構成を示すブロック図であり、図６は、Ｎ／Ｅ構成においてＮ系が接続されている状態を示す図、図７は、Ｎ／Ｅ構成においてＥ系が接続されている状態を示す図、図８は０／１構成が用いられた場合を示す図である。
【００７２】
本実施形態では、外部伝送路が光ケーブル１３０のかわりにメタルケーブルである場合の構成および動作例を示す。なお、これらの図にはマザーボードが図示されていないが、実際には図２と同様にＨＷＹカード１５１、１５２とＨＷＹ−ＩＦカード２０１、２０２間にマザーボードが存在している。また、ＨＷＹカード１５１、１５２の内部構成は図２と同様である。
【００７３】
図６ないし図８に示すように、本実施形態のＩＦ部２００は、一対の、第１のＨＷＹ−ＩＦカード２０１および第２のＨＷＹ−ＩＦカード２０２を有している。両ＨＷＹ−ＩＦカード２０１、２０２は、それぞれ一対のリレー２１１、２１２と、それらのリレー２１１、２１２を駆動するリレードライバ２２０と、導体配線を有して構成される内部伝送路２２５とを有している。
【００７４】
リレー２１１、２１２は、一対の切替部２４１、２４２を各々有している。両ＨＷＹ−ＩＦカード２０１、２０２は、伝送データの入出力ポートの向きが互いに逆向きになるようにしてマザーボードに装着されている。
【００７５】
そして、Ｎ／Ｅ構成として使用する場合は、図６および図７に示すように、第１のＨＷＹ−ＩＦカード２０１のみにメタルケーブル２３０が接続される。また０／１構成として使用する場合は、図８に示すように、第１、第２両方のＨＷＹ−ＩＦカード２０１、２０２に各々メタルケーブル２３０が接続される。両ＨＷＹ−ＩＦカード２０１、２０２の第１のリレー２１１同士および第２のリレー２１２同士は、図示のようにメタルケーブル２４５で接続されている。
【００７６】
Ｎ／Ｅ構成の場合、両ＨＷＹ−ＩＦカード２０１、２０２のリレードライバ２２０は、Ｎ／Ｅ系切替制御信号Ｓ２をＨＷＹカード１５１から受け取ったか、ＨＷＹカード１５２から受け取ったかによって、リレー２１１、２１２の切替状態を制御する。
【００７７】
Ｎ系のＨＷＹカード１５１が有効になる場合は、ＨＷＹカード１５１からＮ／Ｅ系切替制御信号Ｓ２および系構成切替制御信号Ｓ３が出力されるため、両ＨＷＹ−ＩＦカード２０１、２０２のリレー２１１、２１２は、図６に示す状態に切り替えられる。その結果、ベースバンド処理部１２３からの上りデータも、メタルケーブル２３０からの下りデータも共に、ＨＷＹカード１５１とＨＷＹ−ＩＦカード２０１とを使用して伝送される状態になる。
【００７８】
この場合、ベースバンド処理部１２３からＥ系のＨＷＹカード１５２、ＨＷＹ−ＩＦカード２０２およびカード間を接続しているメタルケーブル２４５を経てＨＷＹ−ＩＦカード２０１に送られた上りデータは、ＨＷＹ−ＩＦカード２０１の第２のリレー２１２で遮断される。
【００７９】
また、Ｅ系のＨＷＹカード１５２が有効になる場合は、ＨＷＹカード１５２からＮ／Ｅ系切替制御信号Ｓ２および系構成切替制御信号Ｓ３が出力されるため、両ＨＷＹ−ＩＦカード２０１、２０２のリレー２１１、２１２は、図７に示す状態に切り替えられる。その結果、ベースバンド処理部１２３からの上りデータも、メタルケーブル２３０からの下りデータも共に、Ｅ系のＨＷＹカード１５２、ＨＷＹ−ＩＦカード２０２、カード間を接続しているメタルケーブル２４５およびＨＷＹ−ＩＦカード２０１を経て伝送される状態になる。
【００８０】
この場合、ベースバンド処理部１２３からＨＷＹカード１５１を経てＨＷＹ−ＩＦカード２０１に送られた上りデータは、ＨＷＹ−ＩＦカード２０１の第２のリレー２１２で遮断される。
【００８１】
上記のように、有効となっていないＨＷＹカードは、ベースバンド処理部１２３とメタルケーブル２３０間のデータ伝送機能を果たさないにも拘わらず、上りデータを有効となっていないＨＷＹカードにも常時受信させておくことにより、Ｎ系とＥ系の切り替え時におけるデータの途切れを防止しつつ、スムーズに系を切り替えることができる。
【００８２】
そして、有効となっているＨＷＹカード１５１または１５２は、自カード内の加速度センサ１７２によって加速度を検出し、地震等による振動等の発生を常時監視している。そして、所定の強度以上の加速度が検出されたら、Ｎ／Ｅ系切替制御信号Ｓ２および系構成切替制御信号Ｓ３を一定周期（たとえば１秒周期）で出力する。
【００８３】
それは、それぞれのスイッチが切替制御信号Ｓ２またはＳ３により制御される毎に、スイッチは、機械的に接続するための動作を行うため、あまり頻繁に行うことによって動作回数が増加すると、スイッチの寿命を縮めてしまう恐れがある。したがって、有効になっているＨＷＹカードは、例えば所定の強度以上の加速度が検出されている間のみ切替制御信号を出力することにより、スイッチの負担を減らすことができる。
【００８４】
Ｎ系のＨＷＹカード１５１が有効である場合、両ＨＷＹ−ＩＦカード２０１、２０２のリレードライバ２２０はＮ／Ｅ系切替制御信号Ｓ２および系構成切替制御信号Ｓ３を受け取る度に、リレー２１１、２１２が正常な接続状態すなわち、図６に示す状態になるように、リレー２１１、２１２をそれぞれ駆動する。
【００８５】
またＥ系のＨＷＹカード１５２が有効である場合、両ＨＷＹ−ＩＦカード２０１、２０２のリレードライバ２２０はＮ／Ｅ系切替制御信号Ｓ２および系構成切替制御信号Ｓ３を受け取る度に、リレー２１１、２１２が正常な接続状態すなわち、図７に示す状態になるように、リレー２１１、２１２をそれぞれ駆動する。
【００８６】
つぎに０／１構成の場合について説明する。０／１構成に設定する場合には、０系のＨＷＹカード１５１および１系のＨＷＹカード１５２の二重化制御部１７１それぞれからＮ／Ｅ系切替制御信号Ｓ２および系構成切替制御信号Ｓ３を送信して、両ＨＷＹ−ＩＦカード２０１、２０２のリレー２１１、２１２は、図８に示す接続状態に設定される。
【００８７】
この場合、０系のＨＷＹカード１５１からの上りデータは、ＨＷＹ−ＩＦカード２０１を経てこれに接続された第１のメタルケーブル２３０（０）に送出され、第１のメタルケーブル２３０（０）からの下りデータは、ＨＷＹ−ＩＦカード２０１を経てＨＷＹカード１５１に送られる。
【００８８】
また、１系のＨＷＹカード１５２からの上りデータは、ＨＷＹ−ＩＦカード２０２を経てこれに接続された第２のメタルケーブル２３０（１）に送出され、第２のメタルケーブル２３０（１）からの下りデータは、ＨＷＹ−ＩＦカード２０２を経てＨＷＹカード１５２に送られる。
【００８９】
そして、地震等の振動により所定強度以上の加速度が発生した場合、それぞれの０系および１系のＨＷＹカード１５１、１５２の加速度センサ１７２はその加速度を検出し、二重化制御部１７１は、たとえばその加速度が発生している間にのみ、Ｎ／Ｅ系切替制御信号Ｓ２および系構成切替制御信号Ｓ３を一定周期で出力する。
【００９０】
このような本実施形態の通信制御装置によれば、Ｎ／Ｅ構成に設定されている場合、有効になっているＨＷＹカード１５１または１５２がＮ／Ｅ系切替制御信号Ｓ２および系構成切替制御信号Ｓ３を一定周期で出力することにより、両ＨＷＹ−ＩＦカード２０１、２０２のリレー２１１、２１２が地震等による振動の影響で不正常な状態になってしまった場合でも、その不正常な状態のまま放置される可能性が低くなる。
【００９１】
また、地震等の振動により所定強度以上の加速度が発生した場合、その加速度が発生している間にのみＮ／Ｅ系切替制御信号Ｓ２および系構成切替制御信号Ｓ３が一定周期で出力されるので、リレー２１１、２１２にかかる負担を抑えることができる。
【００９２】
また、０／１構成に設定されている場合には、ＨＷＹカード１５１およびＨＷＹ−ＩＦカード２０１を含む伝送系（０系）と、ＨＷＹカード１５２およびＨＷＹ−ＩＦカード２０２を含む伝送系（１系）とが互いに独立した系として形成されるので、各伝送系を各々別系統の信号伝送処理に使用して伝送容量を多くすることができるとともに、大容量のデータの送受信する場合に、それぞれのＨＷＹカードにかかる負荷を減少させることができる。
【００９３】
また、有効になっているＨＷＹカード１５１または１５２がＮ／Ｅ系切替制御信号Ｓ２および系構成切替制御信号Ｓ３を一定周期で出力することにより、両ＨＷＹ−ＩＦカード２０１、２０２のリレー２１１、２１２が地震等による振動の影響で不正常な状態になってしまった場合でも、その不正常な状態のまま放置される可能性が低くなる。
【００９４】
また、地震等の振動により所定強度以上の加速度が発生した場合、その加速度が発生している間にのみＮ／Ｅ系切替制御信号Ｓ２および系構成切替制御信号Ｓ３が一定周期で出力されるので、リレー２１１、２１２にかかる負担を抑えることができる。
【００９５】
さらに、ＩＦ部２００は、切り替え制御を行うのみで、Ｎ／Ｅ構成、０／１構成に対応することができるため、１つのＩＦ部で利用性が広がるとともに、基地局等に設置後にも構成を切り替えることが可能となる。
【００９６】
また、有線伝送ＩＦ１２４の通信の信頼性が向上することにより、通信に障害が生じた場合は、有線伝送ＩＦ１２４以外の箇所で生じていることが推定できるため、障害の原因箇所の特定および障害からの復旧を迅速に行うことが可能となる。
【００９７】
なお、本実施形態のＩＦ部２００はそれぞれ、ＨＷＹ−ＩＦカード２０１およびＨＷＹ−ＩＦカード２０２を備えたが、Ｎ／Ｅ構成のみに対応するのであれば、ＩＦ部２００は一方のＨＷＹ−ＩＦカード、例えばＨＷＹ−ＩＦカード２０１のみを備え、メタルケーブル２４５に接続される内部伝送路をＥ系のＨＷＹカード１５２に接続すればよい。この場合も、有効になっているＨＷＹカード１５１または１５２が、所定強度以上の加速度を検出している間、一定周期でＮ／Ｅ系切替制御信号Ｓ２および系構成切替制御信号Ｓ３を与えることで通信の信頼性を高めることができる。
【産業上の利用可能性】
【００９８】
本発明は、通信の信頼性を高く維持できる効果を有し、無線基地局等に設けられる通信制御装置等に有用である。
【図面の簡単な説明】
【００９９】
【図１】本発明の第１の実施形態に係る通信制御装置が適用される移動無線通信システムを示す概略構成図
【図２】第１の実施形態に係る有線伝送路ＩＦ部の概略構成を示すブロック図
【図３】第１の実施形態に係るＩＦ部の、Ｎ／Ｅ構成時において、Ｎ系に接続される場合の概略回路構成を示す図
【図４】第１の実施形態に係るＩＦ部の、Ｎ／Ｅ構成時において、Ｅ系に接続される場合の概略回路構成を示す図
【図５】第１の実施形態に係るＩＦ部の、０／１構成として用いられる場合の概略回路構成を示す図
【図６】第２の実施形態に係る有線伝送路ＩＦ部の、Ｎ／Ｅ構成時において、Ｎ系に接続される場合の概略構成を示すブロック図
【図７】第２の実施形態に係る有線伝送路ＩＦ部の、Ｎ／Ｅ構成時において、Ｅ系に接続される場合の概略構成を示すブロック図
【図８】第２の実施形態に係る有線伝送路ＩＦ部の、０／１構成として用いられる場合の概略構成を示すブロック図
【符号の説明】
【０１００】
１００  移動無線通信システム
１１０  移動端末
１２０  基地局
１２４  有線伝送路インタフェース部
１３０  光ケーブル（外部伝送路）
１４０  無縁ネットワーク制御装置
１５１、１５２  ＨＷＹカード（制御ユニット）
１６０  インタフェース部
１６１、１６２  ＨＷＹ−ＩＦカード
１７１  二重化制御部
１７２  加速度センサ（振動検知手段）
１７３  Ｎ／Ｅ−０／１構成切替スイッチ
１７４  伝送信号送受信部
１７７  光カプラ
１７９  光スイッチ（切替機構）
１８０  光スイッチ（切替機構）
１８９  光スイッチドライバ
１９０  光スイッチドライバ
１９５  内部伝送路
２０１、２０２  ＨＷＹ−Ｉ／Ｆカード
２１１、２１２  リレー（切替機構）
２２０  リレードライバ
２２５  内部伝送路
Ｓ１  二重化制御信号
Ｓ２  Ｎ／Ｅ系切替制御信号
Ｓ３  系構成切替制御信号
【図１】
2005198005.tif 000003
【図２】
2005198005.tif 000004
【図３】
2005198005.tif 000005
【図４】
2005198005.tif 000006
【図５】
2005198005.tif 000007
【図６】
2005198005.tif 000008
【図７】
2005198005.tif 000009
【図８】
2005198005.tif 000010